(57)【要約】【課題】  スピーカやマイクロホンなどの音響部品を使用する携帯電話機などの携帯型の通信装置やその他の小型音響装置に適用することによって、複雑なスイッチ操作を伴うことなく、現在の機能の向上とスイッチ数の削減を実現する。【解決手段】  筐体２の内側から取り付けられたスピーカ１の前面に対応して、筐体２に形成された開口部２ａを筐体２の外側から覆って、スピーカ１の前面と外部との間に閉空間５を形成する弾性シート４を設け、筐体２の外側から弾性シート４に与えられた押圧によって、圧電素子１ａは閉空間５に加えられる圧力を検出して検出信号を出力し、制御回路９はその検出信号によって所定の制御処理を行う。【選択図】  図１
2005303647.tif 000002
【特許請求の範囲】
【請求項１】
筐体の内側から取り付けられたスピーカの前面に対応して当該筐体に形成された開口部と、
前記開口部を当該筐体の外側から覆って当該スピーカの前面と外部との間に閉空間を形成する弾性状の部材と、
前記スピーカの構成要素として、入力される音声信号に応じて振動して音圧に変換するとともに、前記筐体の外側から前記弾性状の部材に与えられた押圧によって前記閉空間に加えられる圧力を電気信号に変換して検出信号として出力する変換手段と、
前記変換手段から出力される検出信号によって所定の制御処理を行う制御手段と、
を備えた音響制御装置。
【請求項２】
筐体の内側から取り付けられたスピーカの前面に対応して当該筐体に形成された開口部と、
前記スピーカの構成要素として、入力される音声信号に応じて振動して音圧に変換するとともに、前記筐体の外側から前記開口部を覆って与えられた押圧によって当該押圧物と前記スピーカの前面との間に形成された閉空間に加えられる圧力を電気信号に変換して検出信号として出力する変換手段と、
前記変換手段から出力される検出信号によって所定の制御処理を行う制御手段と、
を備えた音響制御装置。
【請求項３】
前記筐体の外側面における前記開口部の縁部は突起した形状であることを特徴とする請求項２に記載の音響制御装置。
【請求項４】
筐体の内側から取り付けられたマイクロホンの前面に対応して当該筐体に形成された開口部と、
前記開口部を当該筐体の外側から覆って当該マイクロホンの前面と外部との間に閉空間を形成する弾性状の部材と、
前記マイクロホンの構成要素として、入力される音圧に応じて振動して音声信号に変換するとともに、前記筐体の外側から前記弾性状の部材に与えられた押圧によって前記閉空間に加えられる圧力を電気信号に変換して検出信号として出力する変換手段と、
前記変換手段から出力される検出信号によって所定の制御処理を行う制御手段と、
を備えた音響制御装置。
【請求項５】
筐体の内側から取り付けられたマイクロホンの前面に対応して当該筐体に形成された開口部と、
前記マイクロホンの構成要素として、入力される音圧に応じて振動して音声信号に変換するとともに、前記筐体の外側から前記開口部を覆って与えられた押圧によって当該押圧物と前記マイクロホンの前面との間に形成された閉空間に加えられる圧力を電気信号に変換して検出信号として出力する変換手段と、
前記変換手段から出力される検出信号によって所定の制御処理を行う制御手段と、
を備えた音響制御装置。
【請求項６】
前記筐体の外側面における前記開口部の縁部は突起した形状であることを特徴とする請求項５に記載の音響制御装置。
【請求項７】
前記変換手段に入力される音声信号と前記変換手段から出力される検出信号とを周波数帯域に応じて分離する信号分離手段をさらに備えたことを特徴とする請求項１ないし請求項３のいずれか１項に記載の音響制御装置。
【請求項８】
音声信号が入力される信号路と前記変換手段とを接続するか又は前記制御手段に検出信号を出力する信号路と前記変換手段とを接続するかを接続制御信号に応じて選択する接続選択手段をさらに備えたことを特徴とする請求項１ないし請求項３のいずれか１項に記載の音響制御装置。
【請求項９】
前記変換手段から出力される音声信号と検出信号とを周波数帯域に応じて分離する信号分離手段をさらに備えたことを特徴とする請求項４ないし請求項６のいずれか１項に記載の音響制御装置。
【発明の詳細な説明】
【技術分野】
【０００１】
本発明は、音響制御装置に関し、特にスピーカやマイクロホンなどの音響部品を使用する小型音響装置に適用する音響制御装置に関するものである。
【背景技術】
【０００２】
スピーカやマイクロホンなどの音響部品に使用する構成要素として、電気信号と圧力とを双方向に変換する圧電素子が知られている。圧電素子を用いたスピーカやマイクロホンは小型軽量であることから、様々な技術分野で利用されている。
従来の鋸盤の提案によれば、切断加工中の鋸刃の傾きを常に正確に検出して、傾きを修正制御して、常に曲りのない精密切断加工ができるようにするために、鋸刃に繰り返し加圧作用するスピーカと、そのスピーカの加圧時に気体の法則に従って変化する圧力を検出するマイクロホンを設け、さらに、そのスピーカとマイクロホンとを１つの圧電素子で兼用する構成になっている。（特許文献１）
また、別の提案による携帯電話機においては、マイク機能を有するイヤホンと携帯電話機本体とを音声ＦＭ通信で行ない、コードを必要としないので、手の自由度が得られるとともに、金属以外のカバンや衣服の中に携帯電話機本体があっても電話を受信できるような構成になっている。マイク機能を有するイヤホンとしては、マグネチック型イヤホン、ダイナミック型イヤホン、クリスタル型イヤホンが提案されている。（特許文献２）
【特許文献１】特開平５−３１８２２５号公報
【特許文献２】特開２００１−１９７１６３号公報
【発明の開示】
【発明が解決しようとする課題】
【０００３】
一方、スピーカやマイクロホンなどの音響部品を使用する携帯電話機などの携帯型の通信装置やその他の小型音響装置においては、多機能を実現するためにスイッチを多用することと、製品のさらなる小型化を図ることが相反する関係にある。このため、従来の携帯電話機においては、１つのスイッチに複数の機能を持たせて、状況に応じて使い分ける仕様になっている。例えば、メニューを選択するカーソルスイッチや他の機能のスイッチを音量調整用に兼用して、通話中に表示部の画面を見ながらスイッチを操作して受話音量を調整する構成になっている。
しかしながら、通話の最中にスイッチ部と表示部の画面を見ながら受話音量を調整するという複雑な操作を行うことは、その間に相手の音声が聞き取れないという課題があった。また、複雑なスイッチ操作を伴うことなく現状の機能を維持した状態でスイッチ数を削減することが困難であるという課題があった。
このような課題は、上記特許文献１および２に記載された技術やその他の従来の技術では解決することができず、スピーカやマイクロホンを使用する携帯電話機などの携帯型の通信装置やその他の小型音響装置においては、機能の向上とスイッチ数の削減とのトレードオフが、常に製品開発上のジレンマになっていた。
本発明は、このような従来の課題を解決するためのものであり、スピーカやマイクロホンなどの音響部品を使用する携帯電話機などの携帯型の通信装置やその他の小型音響装置に本発明の音響制御装置を適用することによって、複雑なスイッチ操作を伴うことなく、現在の機能の向上とスイッチ数の削減を実現できることを目的とする。
【課題を解決するための手段】
【０００４】
請求項１に記載の音響制御装置は、筐体（実施形態においては、図１の筐体２に相当する）の内側から取り付けられたスピーカ（実施形態においては、図１のスピーカ１に相当する）の前面に対応して当該筐体に形成された開口部（実施形態においては、図１の開口部２ａに相当する）と、開口部を当該筐体の外側から覆って当該スピーカの前面と外部との間に閉空間（実施形態においては、図１の閉空間５に相当する）を形成する弾性状の部材（実施形態においては、図１の弾性シート４に相当する）と、スピーカの構成要素として、入力される音声信号に応じて振動して音圧に変換するとともに、筐体の外側から弾性状の部材に与えられた押圧によって閉空間に加えられる圧力を電気信号に変換して検出信号として出力する変換手段（実施形態においては、圧電素子１ａに相当する）と、変換手段から出力される検出信号によって所定の制御処理を行う制御手段（実施形態においては、制御回路９に相当する）と、を備えた構成になっている。
【０００５】
請求項２に記載の音響制御装置は、筐体（実施形態においては、図３の筐体２２に相当する）の内側から取り付けられたスピーカ（実施形態においては、図３および図４のスピーカ２１に相当する）の前面に対応して当該筐体に形成された開口部（実施形態においては、図３の開口部２２ａに相当する）と、スピーカの構成要素として、入力される音声信号に応じて振動して音圧に変換するとともに、筐体の外側から開口部を覆って与えられた押圧によって当該押圧物（実施形態においては、図４の指２４に相当する）とスピーカの前面との間に形成された閉空間（実施形態においては、図４の閉空間２５に相当する）に加えられる圧力を電気信号に変換して検出信号として出力する変換手段（実施形態においては、図３および図４の圧電素子２１ａに相当する）と、変換手段から出力される検出信号によって所定の制御処理を行う制御手段（実施形態においては、図示しない制御回路に相当する）と、を備えた構成になっている。
請求項２の音響制御装置において、請求項３に記載したように、筐体の外側面における開口部の縁部は突起した形状（実施形態においては、図５の突起２２ｂに相当する）であるような構成にしてもよい。
【０００６】
請求項４に記載の音響制御装置は、筐体（実施形態においては、図２の筐体１２に相当する）の内側から取り付けられたマイクロホン（実施形態においては、図２のマイクロホン１１に相当する）の前面に対応して当該筐体に形成された開口部（実施形態においては、図２の開口部１２ａに相当する）と、開口部を当該筐体の外側から覆って当該マイクロホンの前面と外部との間に閉空間（実施形態においては、図２の閉空間１５に相当する）を形成する弾性状の部材（実施形態においては、図２の弾性シート１４に相当する）と、マイクロホンの構成要素として、入力される音圧に応じて振動して音声信号に変換するとともに、筐体の外側から弾性状の部材に与えられた押圧によって閉空間に加えられる圧力を電気信号に変換して検出信号として出力する変換手段（実施形態においては、図２の圧電素子１１ａに相当する）と、変換手段から出力される検出信号によって所定の制御処理を行う制御手段（実施形態においては、図２の制御回路１８に相当する）と、を備えた構成になっている。
【０００７】
請求項５に記載の音響制御装置は、筐体（実施形態においては、図３および図４の筐体２２に相当する）の内側から取り付けられたマイクロホン（実施形態においては、図３および図４のマイクロホン２１に相当する）の前面に対応して当該筐体に形成された開口部と、マイクロホンの構成要素として、入力される音圧に応じて振動して音声信号に変換するとともに、筐体の外側から開口部を覆って与えられた押圧によって当該押圧物（実施形態においては、図４の指２４に相当する）とマイクロホンの前面との間に形成された閉空間（実施形態においては、図４の閉空間２５に相当する）に加えられる圧力を電気信号に変換して検出信号として出力する変換手段（実施形態においては、図３および図４の圧電素子２１ａに相当する）と、変換手段から出力される検出信号によって所定の制御処理を行う制御手段（実施形態においては、図示しない制御回路に相当する）と、を備えた構成になっている。
請求項５の音響制御装置において、請求項６に記載したように、筐体の外側面における開口部の縁部は突起した形状（実施形態においては、図５の突起２２ｂに相当する）であるような構成にしてもよい。
【０００８】
請求項１ないし３の音響制御装置において、請求項７に記載したように、変換手段に入力される音声信号と変換手段から出力される検出信号とを周波数帯域に応じて分離する信号分離手段（実施形態においては、図１のフィルタ回路８に相当する）をさらに備えた構成にしてもよい。
あるいは、請求項１ないし３の音響制御装置において、請求項８に記載したように、音声信号が入力される信号路（実施形態においては、図１のアンプ６の出力信号線６ａに相当する）と変換手段とを接続するか又は制御手段に検出信号を出力する信号路（実施形態においては、図１のアンプ７への入力信号線７ａに相当する）と変換手段とを接続するかを接続制御信号に応じて選択する接続選択手段（実施形態においては、図示しない切替スイッチに相当する）をさらに備えた構成にしてもよい。
【０００９】
請求項４ないし６の音響制御装置において、請求項９に記載したように、変換手段から出力される音声信号と検出信号とを周波数帯域に応じて分離する信号分離手段（実施形態においては、図２のフィルタ回路１７に相当する）をさらに備えた構成にしてもよい。
【発明の効果】
【００１０】
本発明の音響制御装置によれば、スピーカやマイクロホンなどの音響部品を使用する携帯電話機などの携帯型の通信装置やその他の小型音響装置に適用することによって、複雑なスイッチ操作を伴うことなく、現在の機能の向上とスイッチ数の削減を実現できるという効果が得られる。
【発明を実施するための最良の形態】
【００１１】
以下、本発明の音響制御装置の第１実施形態ないし第４実施形態について、携帯電話に適用した場合を例に採って、図１ないし図５を参照して説明する。
まず、第１実施形態について説明する。
図１は、第１実施形態における携帯電話の一部を構成する音響制御装置を示す図である。スピーカ１は筐体２の内側にパッキン３を介して固定されている。スピーカ１の前面に対応する筐体２の部分には開口部２ａが形成されている。開口部２ａは、筐体２の外側から弾性シート４によって覆われている。したがって、スピーカ１の前面と外側との間に閉空間５が形成される。
また、アンプ６の出力信号線６ａとアンプ７の入力信号線７ａとの間に、直列接続されたキャパシタンス成分Ｃおよびインダクタンス成分Ｌによって、図１に模式的に示されたフィルタ回路８が設けられている。すなわち、フィルタ回路８は、キャパシタンス成分Ｃを介してアンプ６の出力信号線６ａに接続され、インダクタンス成分Ｌを介してアンプ７の入力信号線７ａに接続されている。また、キャパシタンス成分Ｃとインダクタンス成分Ｌとの接続点にスピーカ１の信号線が接続されている。さらに、アンプ７の出力側には制御回路９が接続されている。
フィルタ回路８において、キャパシタンス成分Ｃは、数１００Ｈｚから数１０ｋＨｚのオーディオ周波数帯域の信号を通過させ、数Ｈｚ以下の低い周波数帯域の信号を遮断する。一方、インダクタンス成分Ｌは、数１００Ｈｚから数１０ｋＨｚのオーディオ周波数帯域の信号を遮断し、数Ｈｚ以下の低い周波数帯域の信号を通過させる。
【００１２】
アンプ６は、電話相手の音声信号、着信時の着信報知音などの音声信号を増幅して、出力信号線６ａからスピーカ１に入力する。スピーカ１には、入力される音声信号に応じて振動して音圧に変換する圧電素子１ａが設けられている。圧電素子１ａは、電場を加えるとひずみを生じる逆圧電効果又は２次圧電効果の現象を利用して、音声信号を音圧に変換して発音する。その反対の現象として、ひずみ又は応力を加えると電気分極が生じて電圧を発生する圧電効果を利用することによって、圧電素子１ａは外部から圧力が加えられると、その圧力を電気信号に変換する。すなわち、圧電素子１ａは加えられた圧力を検出して検出信号を発生する。したがって、弾性シート４に対して外側から指などで押圧を与えると、閉空間５を介して圧電素子１ａに圧力が加えられ、圧電素子１ａはその圧力を検出して検出信号を出力する。
【００１３】
アンプ６から出力される音声信号は、数１００Ｈｚから数１０ｋＨｚのオーディオ周波数帯域の信号であるので、フィルタ回路８のキャパシタンス成分Ｃを通過してスピーカ１の圧電素子１ａのみに供給され、フィルタ回路８のインダクタンス成分Ｌによって遮断されてアンプ７には入力されない。一方、弾性シート４に対して外側から指などで押圧を与えることによって、閉空間５を介して圧電素子１ａに圧力が加えられて、圧電素子１ａから出力される検出信号は、数Ｈｚの低い周波数帯域の信号であるので、フィルタ回路８のインダクタンス成分Ｌを通過してアンプ７のみに供給され、フィルタ回路８のキャパシタンス成分Ｃによって遮断されてアンプ６には入力されない。
【００１４】
この結果、音声信号が入力されてスピーカ１から発音されている状態又は音声信号が入力されずスピーカ１から発音がされていない状態にかかわらず、閉空間５を介して圧電素子１ａに圧力が加えられて、スピーカ１から出力される検出信号は、アンプ７のみに入力されて増幅され、制御回路９に供給される。制御回路９は、この検出信号に応じて所定の制御処理を行う。
【００１５】
以上のように、この第１実施形態によれば、筐体２の内側から取り付けられたスピーカ１の前面に対応して、筐体２に形成された開口部２ａを筐体２の外側から覆って、スピーカ１の前面と外部との間に閉空間５を形成する弾性シート４を設け、筐体２の外側から弾性シート４に与えられた押圧によって、圧電素子１ａは閉空間５に加えられる圧力を検出して検出信号を出力し、制御回路９はその検出信号によって所定の制御処理を行う。したがって、スピーカを使用する携帯電話機などの携帯型の通信装置やその他の小型音響装置にこの音響制御装置を適用することによって、スピーカがスイッチの機能を兼用するので、複雑なスイッチ操作を伴うことなく、現在の機能の向上とスイッチ数の削減を実現できる。
【００１６】
例えば、制御回路９が検出信号を受けたときは、その検出信号によって押圧の継続時間を計測し、継続時間が長い（例えば、１秒以上）場合には、受話音量を大きく調整するように制御し、継続時間が短い（例えば、０．５秒以下）場合には、受話音量を小さく調整するように制御する。このような制御処理を行うことによって、ユーザは電話での会話中に相手の音声が小さい場合には、スピーカ部を指で長く押圧して受話音量を大きく調整し、相手の音声が大きすぎる場合には、スピーカ部を指で短く押圧して受話音量を小さく調整することができる。したがって、電話での会話中に、スイッチ部と表示部の画面を見ながら受話音量を調整するという複雑な操作を行う必要がなく、スピーカによって受話音量の調整が可能になるので、受話音量の調整のために相手の音声が聞き取れないような事態を回避できる。
【００１７】
上記第１実施形態の変形例として、フィルタ回路８の代わりに、音声信号が入力されるアンプ６の信号路と圧電素子１ａとを接続するか、又は、制御回路９に検出信号を出力する信号路と圧電素子１ａとを接続するかを、接続制御信号に応じて選択する切替スイッチを備えた構成にしてもよい。接続制御信号としては、例えば、着信検知信号が考えられる。インターネットなどにアクセスするためのスイッチとしてスピーカを兼用した構成においては、着信を検知しないモードにおいては、切替スイッチによって制御回路９に検出信号を出力する信号路と圧電素子１ａとを接続し、電話又はメールの着信を検知したモードになったときは、その着信検知信号に応じて切替スイッチを自動的に切替えて、アンプ６の信号路と圧電素子１ａとを接続する。したがって、スピーカがスイッチの機能を兼用するので、複雑なスイッチ操作を伴うことなく、現在の機能の向上とスイッチ数の削減を実現できる。
【００１８】
次に、第２実施形態について説明する。
図２は、第２実施形態における携帯電話の一部を構成する音響制御装置を示す図である。マイクロホン１１は筐体１２の内側にパッキン１３を介して固定されている。マイクロホン１１の前面に対応する筐体１２の部分には開口部１２ａが形成されている。開口部１２ａは、筐体１２の外側から弾性シート１４によって覆われている。したがって、マイクロホン１１の前面と外側との間に閉空間１５が形成される。マイクロホン１１には、第１実施形態と同様の構成要素である圧電素子１１ａが設けられている。圧電素子１１ａの出力信号線はアンプ１６に接続されている。アンプ１６の出力信号線はフィルタ回路１７に接続され、フィルタ回路１７からは２つの出力信号線１７ａおよび１７ｂがそれぞれ制御回路１８に接続されている。
【００１９】
フィルタ回路１７は、第１実施形態と同様の特性を持ったキャパシタンス成分およびインダクタンス成分が並列接続されて構成されている。すなわち、キャパシタンス成分は、数１００Ｈｚから数１０ｋＨｚのオーディオ周波数帯域の信号を通過させ、数Ｈｚ以下の低い周波数帯域の信号を遮断する。一方、インダクタンス成分は、数１００Ｈｚから数１０ｋＨｚのオーディオ周波数帯域の信号を遮断し、数Ｈｚ以下の低い周波数帯域の信号を通過させる。
【００２０】
マイクロホン１１の圧電素子１１ａは、音声入力に応じて数１００Ｈｚから数ｋＨｚの周波数帯域の音声信号を発生して出力するとともに、弾性シート１４に対して外側から指などで押圧を与えることによって、閉空間１５を介して圧電素子１１ａに圧力が加えられて、数Ｈｚの低い周波数帯域の検出信号を発生する。音声信号および検出信号は、ともにアンプ１６に入力される。
アンプ１６によって増幅された高い周波数帯域の音声信号は、フィルタ回路１７に入力され、キャパシタンス成分を通過して、出力信号線１７ａから制御回路１８に入力される。一方、アンプ１６によって増幅された低い周波数帯域の検出信号は、フィルタ回路１７に入力され、インダクタンス成分を通過して、出力信号線１７ｂから制御回路１８に入力される。すなわち、マイクロホン１１から出力された音声信号および検出信号は、フィルタ回路１７において２系統の信号に分離されて制御回路１８に入力される。制御回路１８は、入力された音声信号に対しては、ディジタル信号に変換して無線送信部に供給する。一方、制御回路１８は、入力された検出信号に対しては、ディジタル信号に変換して所定の制御処理を行う。
【００２１】
以上のように、この第２実施形態によれば、筐体１２の内側から取り付けられたマイクロホン１１の前面に対応して、筐体１２に形成された開口部１２ａを、筐体１２の外側から覆ってマイクロホン１１の前面と外部との間に閉空間１５を形成する弾性シート１４を設け、圧電素子１１ａは、入力される音圧に応じて振動して音声信号に変換し、制御回路１８に供給するとともに、筐体１２の外側から弾性シート１４に与えられた押圧によって、閉空間１５に加えられる圧力を検出して検出信号を制御回路１８に供給する。制御回路１８は、検出信号に応じて所定の制御処理を行う。したがって、第１実施形態と同様に、マイクロホンを使用する携帯電話機などの携帯型の通信装置やその他の小型音響装置にこの音響制御装置を適用することによって、マイクロホンがスイッチの機能を兼用するので、複雑なスイッチ操作を伴うことなく、現在の機能の向上とスイッチ数の削減を実現できる。
【００２２】
例えば、制御回路１８が検出信号を受けたときは、動作中のマイクロホン１１をミュート状態に変化させ、ミュート中のマイクロホン１１を動作状態に変化させる。このような制御処理を行うことによって、ユーザは電話での会話中に相手の音声は聞きながら、弾性シート１４を指で押圧してマイクロホン１１をミュート状態にして、そばにいる人に指示を出したり質問をすることができる。指示又は質問が終わったら、再び弾性シート１４を指で押圧してマイクロホン１１をミュート状態から動作状態に戻して会話を行うことができる。
【００２３】
他の具体例として、圧電素子１１ａから出力される音声信号と検出信号とを周波数帯域に応じて分離するフィルタ回路１７を設けたので、マイクロホン１１によって会話を行っている間においても、弾性シート１４を指で押さえることにより、会話を録音するためのトリガスイッチや、会話の中で相手が必要とする情報を迅速に取得するために、データベース又はインターネットのサイトにアクセスするスイッチとして、マイクロホン１１を兼用することができる。
【００２４】
次に、第３実施形態について説明する。
図３および図４は、第３実施形態における携帯電話の一部を構成する音響制御装置を示す図である。図３において、スピーカ又はマイクロホン２１は筐体２２の内側にパッキン２３を介して固定されている。スピーカ又はマイクロホン２１の前面に対応する筐体２２の部分には開口部２２ａが形成されている。ただし、第１実施形態および第２実施形態と異なり、開口部２２ａは小さく形成され、弾性シートなどで覆われてなく開放された状態になっている。また、スピーカ又はマイクロホン２１には、第１実施形態および第２実施形態と同様の構成要素である圧電素子２１ａが設けられている。なお、圧電素子２１ａに接続される回路については、第１実施形態又は第２実施形態と同様の構成であるので、説明および図面の記載は省略する。
ここで、図４に示すように、筐体２２の外側から指２４を押し付けて開口部２２ａを塞いだ場合には、スピーカ又はマイクロホン２１の前面と指２４との間に閉空間２５が形成され、この閉空間２５に加えられる圧力による圧電効果のために、圧電素子２１ａからは検出信号が出力される。
【００２５】
以上のように、この第３実施形態によれば、筐体２２の内側から取り付けられたスピーカ又はマイクロホン２１の前面に対応して、筐体２２に形成された開口部２２ａを筐体２２の外側から指２４で押圧するよって、圧電素子２１ａは、指２４とスピーカ又はマイクロホン２１の前面との間に形成された閉空間２５に加えられる圧力を検出して検出信号を出力し、制御回路はその検出信号によって所定の制御処理を行う。したがって、第１実施形態および第２実施形態と同様に、スピーカやマイクロホンを使用する携帯電話機などの携帯型の通信装置やその他の小型音響装置に本発明の音響制御装置を適用することによって、スピーカやマイクロホンがスイッチの機能を兼用するので、複雑なスイッチ操作を伴うことなく、現在の機能の向上とスイッチ数の削減を実現できる。
【００２６】
次に、第４実施形態について説明する。
図５は、第４実施形態における携帯電話の一部を構成する音響制御装置を示す図である。図５において、第３実施形態と同一の構成要素については、同じ符号で表すとともに、説明は省略する。
第４実施形態においては、筐体２２の外側面における開口部２２ａの縁部である円周部に突起２２ｂが形成されている。さらに、図５に示すように、突起２２ｂの内周側には開口部２２ａ側に向かって傾斜した傾斜面ｓが形成されている。このため、開口部２１ａに指を押し付けた場合に、指の表面が傾斜面ｓに密着するので、指とスピーカ又はマイクロホン２１の前面との間に形成された閉空間の密閉度が増加する。したがって、指の押圧力と圧電素子２１ａの検出信号の発生との間の変換効率が向上する。
【００２７】
上記各実施形態においては、本発明による音響制御装置を携帯電話に適用した場合を例に採って説明したが、本発明による音響制御装置の適用範囲は携帯電話に限定されないことは明らかである。ＰＨＳなどの他の通信端末装置はもちろんのこと、車載用の小型の音響機器、ハンディタイプの小型ラジカセ、携帯型のＣＤプレーヤおよびＭＤプレーヤなどのように、スピーカやマイクロホンなどの音響部品を使用する他の小型音響装置にも適用することができる。すなわち、他の小型音響装置においても、スピーカやマイクロホンがスイッチの機能を兼用するので、複雑なスイッチ操作を伴うことなく、現在の機能の向上とスイッチ数の削減を実現できる。
【図面の簡単な説明】
【００２８】
【図１】本発明の第１実施形態における音響制御装置を適用した携帯電話の一部の構成を示す図。
【図２】本発明の第２実施形態における音響制御装置を適用した携帯電話の一部の構成を示す図。
【図３】本発明の第３実施形態における音響制御装置を適用した携帯電話の一部の構成を示す図。
【図４】図３に示した構成において筐体の開口部に指を押し当てた様子を示す図。
【図５】本発明の第４実施形態における音響制御装置を適用した携帯電話の一部の構成を示す図。
【符号の説明】
【００２９】
１，２１  スピーカ
１ａ，１１ａ，２１ａ  圧電素子
２，１２，２２  筐体
２ａ，１２ａ，２２ａ  開口部
３，１３，２３  パッキン
４，１４  弾性シート
５，１５，２５  閉空間
６，７，１６  アンプ
８，１７  フィルタ回路
９，１８  制御回路
１１，２１  マイクロホン
２２ｂ  突起
２４  指
【図１】
2005303647.tif 000003
【図２】
2005303647.tif 000004
【図３】
2005303647.tif 000005
【図４】
2005303647.tif 000006
【図５】
2005303647.tif 000007